(57)【要約】【課題】バッテリーから照明装置へ通電するためのスイッチボタンは、筆記操作のための機構とは別に単独で設けられており、その操作を煩雑にするものであった。即ち、軸からペン先を突出させる操作と、照明装置を発光させる操作を、各々別々に行わなければならなかった。【解決手段】筆記部を有し、使用者が把持又は筆記している状態を検出する検出部と、該検出部で検出した前記把持又は筆記している状態を前記使用者に通知する通知手段を設けた筆記具であって、前記検出部、並びに、通知手段への電源の印加を筆記操作に連動させたことを特徴とする筆記具。【選択図】  図１
2005022215.tif 000002
【特許請求の範囲】
【請求項１】
筆記部を有し、使用者が把持又は筆記している状態を検出する検出部と、該検出部で検出した前記把持又は筆記している状態を前記使用者に通知する通知手段を設けた筆記具であって、前記検出部、並びに、通知手段への電源の印加を筆記操作に連動させたことを特徴とする筆記具。
【請求項２】
前記筆記部を軸本体に出没可能に配置すると共に、前記筆記操作を筆記部の突出操作としたことを特徴とする請求項１記載の筆記具。
【請求項３】
前記筆記操作を軸本体の傾斜操作としたことを特徴とする請求項１、或いは、請求項２に記載の筆記具。
【請求項４】
前記筆記操作を軸本体への把持操作としたことを特徴とする請求項１〜請求項３の何れかに記載の筆記具。
【請求項５】
前記筆記操作を筆記部の筆記面への接触操作としたことを特徴とする請求項１〜請求項４の何れかに記載の筆記具。
【発明の詳細な説明】
【０００１】
【発明が属する技術分野】
本発明は、筆記部を有し、使用者が把持又は筆記している状態を検出する検出部と、該検出部で検出した前記把持又は筆記している状態を前記使用者に通知する通知手段を設けた筆記具に関する。
【０００２】
【従来技術】
光源（ＬＥＤ）や振動体を用いて筆記状態を良好にする筆記具が知られている。１例として、軸の下端部にペン先の照明装置を取付けると共に、軸の内部に照明装置の電源用バッテリーを収納し、軸の頂端部に一方の側面を押圧することにより径方向へ変位して上記のバッテリーから照明装置へ通電するための回路を閉じて照明装置を発光させ、他方の側面を押圧することにより径方向の反対側へ変位して上記の回路を開いて照明装置を消光させるスイッチボタンを設けたペンがある（特許文献１）。
【０００３】
【特許文献１】
特開平１０−１３８６９０号（請求項１、図２、図７など）。
【０００４】
【発明が解決しようとする課題】
しかしながら、バッテリーから照明装置へ通電するためのスイッチボタンは、筆記操作のための機構とは別に単独で設けられており、その操作を煩雑にするものであった。即ち、軸からペン先を突出させる操作と、照明装置を発光させる操作を、各々別々に行わなければならなかった。
【０００５】
【課題を解決するための手段】
本発明は、上記課題に鑑みてなされたものであって、筆記部を有し、使用者が把持又は筆記している状態を検出する検出部と、該検出部で検出した前記把持又は筆記している状態を前記使用者に通知する通知手段を設けた筆記具であって、前記検出部、並びに、通知手段への電源の印加を筆記操作に連動させたことを要旨とする。
【０００６】
【実施例】
以下、第１実施例の詳細を、添付図面を参照して説明する。図１は本実施例による筆記具の正面図、図２は図１の縦断面図である。
本実施例による筆記具は、図２に示す要素からなる。透明、或いは、着色半透明な材料からなる軸本体１の前方（図中下端；以下、前方と言う）には、先部材２が螺着などの手段によって着脱自在に固定されていおり、その先部材２の前端には、ペン先が出没する先穴３が形成されている。その先穴３の後方（図中上方；以下、後方と言う）には、コイルスプリングなどの弾撥部材４によって後方に付勢され、且つ、軸本体１内を前後動可能な筆記部材５が配置されており、その筆記部材５の前端には前記ペン先６が圧入・固定されている。又、筆記部材５の後端には、中子キャップ７が配置されているが、その中子キャップ７の前端には、前記筆記部材５の後方部が嵌入する筒部８が形成されている。又、中子キャップ７の後方部は、後方に向けて開放された半円弧状のカップ部９となっており、そのカップ部９には光源（ＬＥＤ）１０が挿着されている。この中子キャップ７は、前記軸本体１と同様に、透明、或いは、着色半透明な材料から形成されており、前記光源（ＬＥＤ）１０の視認性を向上させていると共に、より効果的に使用者に認識させている。又、中子キャップ７の筒部８の下端内面には、面取り加工（面取り部１１）が施されており、前記筆記部材５の挿着性を向上させていると共に、光源１０の光が面取り部１１で乱反射することによって興趣性を持たせている。
【０００７】
中子キャップ７の後方には、ノック体１２が固定されており、そのノック体１２の後端部は、前記軸本体１の後端開口部から露出している。そのノック体１２には、把持及び／又は筆記している状態を検出する検出部を有する基板１３と、それを通知する振動モータ１４が取り付けられている。その振動モータ１４は軸本体１に直接取り付けても良いが、本実施例では基板１３に取り付けている。基板１３と震動モータ１４とをユニット化することによって組み立ての容易性を図っている。又、ノック体１２の後方には、筒状部１５が形成されており、その筒状部１５には、電池１６が複数個内蔵されている。その電池１６の脱落は、筒状部１５の後端に螺着によって着脱自在に取り付けられた金属製のキャップ１７によってなされている。ノック体１２の後方、即ち、軸本体１の後方に電池１６を配置したのは、使用者が電池交換を容易に行える様にするためである。
尚、前記キャップ１７の天面は、前方に向けて凹陥部１８となっているが、その凹陥部１８の頂部には凸部１９が形成されている。凹陥部１８を形成することによって、前記電池１６のプラス極との接触を良好なものとすると共に、凹陥部１８の内側に若干の凸部１９を形成することによって、押厚した際の指への感触を良好なものとしている。
符号２０は、電池１６のマイナス極に接触するコイルスプリングであって、電池１６を凹陥部１８の方向へ付勢している。
【０００８】
ノック体１２の側面であって、前記軸本体１の後方側面には、スイッチ部材２１が配置されている。スイッチ部材２１は、軸本体１の側面に形成されている２つの突起２２の間に位置しており、ピン２３によって回転自在に枢着されている。回転自在と言っても、その回転角度は、１〜３度程度である。又、スイッチ部材２１の内側には、金属材質からなる後部に円弧が形成された板バネ状の端子２４が固着されている。その板バネ２４は、自らの弾性力によって前記ノック体１２に圧接している。更に、板バネ２４の前方には導電線２５が接続されており、他方が基板１３に接続している。尚、その基板１３からは、別の導電線２６が接続されており、他方が端子２７を介して前記コイルスプリング２０に接続されている。
又、スイッチ部材２１の内側には、係合突部２８が形成されており、前記ノック体１２の凹部１２ａに形成されている第１係合段部２９、第２係合段部３０に係合し得るようになっている。即ち、筆記部材５が軸本体１に没入している状態においては、前記係合突部２８が第１係合段部２９に当接しており、筆記部材５が軸本体１から突出している状態においては、係合突部２８が第２係合段部３０に当接している。
【０００９】
前記軸本体１の後方外周には、内部を隠蔽する塗装が施されており、筆記部材５が没入している状態においては、光源１０がその塗装部分に位置している。即ち、見えない位置となっている。しかし、筆記部材５の突出操作を行うと、光源１０は、光りながら前記塗装部分から露出する。一種の興趣性を図っているのである。
又、前記光源１０や震動モータ１４は、軸本体１のほぼ重心であって、親指と人差し指が連続する指間部が接触する部分に配置されている。即ち、震動モータ１４に寄る震動を直接、指に伝えるのではなく、指間部に伝えることによって、心地よさの向上を図ると共に、震動による筆記への影響を防止しているのである。更に、本実施例における筆記具の重量は、一般的な筆記具が１０〜３０ｇｆに対し、３５ｇｆ〜４０ｇｆとなっている。重量を増すことによって、軸本体１を指間部に潜り込ませ、震動の伝達を向上させている。
【００１０】
次に、使用例、動作について説明する。使用者がキャップ１７の後端を前方に押し込むと、ノック体１２が前方に移動する。勿論、軸本体１内の筆記部材５も連動して前方に移動し、ペン先６が軸本体の先穴３から突出する。又、ノック体１２の凹部１２ａは、スイッチ体２１の係合突起２８を摺動し、やがて、第２係合段部３０が係合突起２８に係合する。この係合によって、ノック体１２の後退が阻止され、ペン先６の突出状態が維持される。更にこの時、キャップ１７の外周面がスイッチ部材２１に取り付けられた板バネ２４に接触し、ここで、使用者の把持動作および筆記動作を検出する検出部や通知手段に電源が印可され、光源１０や振動モータ１４が作動可能な状態となる。
尚、スイッチ部材２１の後方を軸本体１方向にピン２３を中心とし回転させると、スイッチ部材の係合突起２８がノック体１２の第２係合段部３０から離れ、筆記部材５が弾撥部材４の付勢力によって没入すると共に、板バネ２４とキャップ１７との接触が解除され検出部や通知手段への電源が断たれる。
【００１１】
次ぎに、前記検出部や通知手段に電源が印可された後の作動例を説明する。筆記動作によって生じると考えられる加速度よりも大きな加速度を検出部が検出すると、使用者が本装置を把持したものと見なし、光源１０や震動モータ１４を一回乃至複数回点滅、震動させ、休止状態から起動したことを通知する。その後、加速度検出を継続し、加速度が小さい場合は把持されているが筆記されていないと見なして、光源１０の明るさを緩やかに変化させたり、震動モータ１４の震動を緩やかに変化させる。加速度が大きい場合は筆記状態にある可能性があると見なし、加速度の大きさもしくは変化などに応じて、光源を点滅させる。加速度が小さい状態が一定時間、少なくとも数秒程度以上継続した場合は、筆記動作および把持状態が終了したと見なし、光源１０を一回乃至複数回点滅させ、休止状態に移行することを通知する。
【００１２】
次に第２実施例について説明する。図７は角度検出用のスイッチ部材３１を示す。使用者が筆記具を筆記状態に保つと（通常、筆記角度は５０〜７０゜である。）、軸本体１の内部に、軸本体１とほぼ平行に設置された角度検出スイッチ３１の軸筒３２内部の金属球３３が、ペン先６の方向に移動する。角度検出スイッチ３１の軸筒３２の前方には基板１３の回路の一部（２つの端子３４）が非接触状態で平行して配列されている。
その２つの端子３４に、前記金属球３３が接触することによって、多大の端子３４が導電し、前記検出部や通知手段に印加される。
尚、前記第１実施例のノック体をメインのスイッチとし、本第２実施例の角度検出スイッチをサブのスイッチとしても良い。
【００１３】
第３実施例を図８に示し説明する。筆記具の把持検出スイッチの例であり、筆記具の把持部３５接触検出部３６を配置したものである。その接触検出部３６は、互いに接触していない二つの導電体３６ａ、３６ｂからなり、使用者が把持部３５を把持した際に、使用者の皮膚が二つの導電体３６ａ、３６ｂに接触することによって、使用者が筆記具を把持したことを検出することができる。具体的には、円柱の帯状をした二つの導電体を狭い間隔で把持部３５に被せているが、筆記具の把持部３５に二つの導電体を二重螺旋状に巻き付けたりしても良い。
【００１４】
第４実施例を図９に示し説明する。筆記具のペン先６が筆記面に接触した状態を検出するスイッチである。筆記部材５は、前記第１実施例と同様に、常時弾撥部材４によって後端が中子キャップ７の筒部８の内穴後端面３７に付勢されているが、ごく弱い付勢力によって当接している程度である。その中子キャップ７の内穴後端面３７には感圧センサ３８が取り付けられており、前記筆記部材５の後端と面接触により当接している。使用者が筆記状態に入ると、ペン先６の筆記圧（通常２００〜８００ｇｆ）は筆記部材５の後端に伝達される。そして、前記感圧センサ３８に設定された加重以上の圧力が加わると、光源１０や振動モータ１４の作動が可能となる。尚、前記感圧センサ３８の圧力設定は、ワンチップ・マイクロコントローラ等に書き込みしておけば良い。
【００１５】
【発明の効果】
本発明は、筆記部を有し、使用者が把持又は筆記している状態を検出する検出部と、該検出部で検出した前記把持又は筆記している状態を前記使用者に通知する通知手段を設けた筆記具であって、前記検出部、並びに、通知手段への電源の印加を筆記操作に連動させたので、煩わしい印加操作から開放される。
【図面の簡単な説明】
【図１】第１実施例を示す正面図。
【図２】図１のＡ−Ａ線縦断面図。
【図３】図２のＢ部拡大図。
【図４】図３の外観図。
【図５】要部分解斜視図。
【図６】動作例を示す要部縦断面図。
【図７】第２実施例を示す模式図。
【図８】第３実施例を示す模式図。
【図９】第４実施例を示す模式図。
【符号の説明】
１      軸本体
２      先部材
３      先穴
４      弾撥部材
５      筆記部材
６      ペン先
７      中子キャップ
８      筒部
９      カップ部
１０    光源
１１    面取り部
１２    ノック体
１３    基板
１４    震動モータ
１５    筒状部
１６    電池
１７    キャップ
１８    凹陥部
１９    凸部
２０    コイルスプリング
２１    スイッチ部材
２２    突起
２３    ピン
２４    板バネ
２５    導電線
２６    導電線
２７    端子
２８    係合突部
２９    第１係合段部
３０    第２係合段部
３１    スイッチ部材
３２    軸筒
３３    金属球
３４    端子
３５    把持部
３６    導電体
３７    内穴後端面
３８    感圧センサ
【図１】
2005022215.tif 000003
【図２】
2005022215.tif 000004
【図３】
2005022215.tif 000005
【図４】
2005022215.tif 000006
【図５】
2005022215.tif 000007
【図６】
2005022215.tif 000008
【図７】
2005022215.tif 000009
【図８】
2005022215.tif 000010
【図９】
2005022215.tif 000011